(57)【要約】【課題】  切れ味や静寂性や製造容易性に優れた草刈り用コードを提供する。【解決手段】  コード型草刈り装置に用いられる草刈り用コードの製造方法であって、コード本体１０の外周部に、コード本体１０の長手方向に沿って、同じ向きの多数の凹部１１で構成される凹部列を形成する凹部形成工程と、凹部形成工程を経たコード本体１０に捩じり加工を施す捩じり工程とを経ることによって、同じ凹部列を構成する凹部１１の向きを異ならせた草刈り用コードが得られるようにした。【選択図】  図４
2018011571.tif 000002
【特許請求の範囲】
【請求項１】
コード型草刈り装置に用いられる草刈り用コードの製造方法であって、
コード本体の外周部に、コード本体の長手方向に沿って、同じ向きの多数の凹部で構成される凹部列を形成する凹部形成工程と、
凹部形成工程を経たコード本体に捩じり加工を施す捩じり工程と、
を経ることによって、
同じ凹部列を構成する凹部の向きを異ならせた草刈り用コードを得ることを特徴とする草刈り用コードの製造方法。
【請求項２】
凹部形成工程において、
コード本体の外周部における、コード本体の長手方向に対して垂直な方向の一側に、当該一側を向く多数の凹部で構成される一の凹部列を、コード本体の長手方向に沿って形成し、
コード本体の外周部における、コード本体の長手方向に対して垂直な方向の他側に、当該他側を向く多数の凹部で構成される他の凹部列を形成する
請求項１記載の草刈り用コードの製造方法。
【請求項３】
凹部形成工程において、
前記一の凹部列を構成する凹部と、前記他の凹部列を構成する凹部とを、コード本体の長手方向で互い違いに形成する
請求項２記載の草刈り用コードの製造方法。
【請求項４】
コード本体として、
その外周面が、
第一の面と、
第一の面に対して鋭角を為す第二の面と、
第二の面に対して鈍角を為す第三の面と、
第三の面に対して鋭角を為し、第一の面に対して鈍角を為す第四の面と、
で構成された断面菱形状のものを用い、
凹部形成工程において、
前記一の凹部列を、前記第一の面と前記第二の面との間の稜線に沿って形成し、
前記他の凹部列を、前記第三の面と前記第四の面との間の稜線に沿って形成する
請求項２又は３記載の草刈り用コードの製造方法。
【請求項５】
コード型草刈り装置に用いられる草刈り用コードであって、
コード本体が捩じられた構造を有するとともに、
コード本体の外周部に、コード本体の長手方向に沿って、多数の凹部が繰り返し形成されており、
それぞれの凹部の、コード本体の長手方向に沿う中心線に垂直な方向の向きが、当該中心線回りに螺旋状に変化している
ことを特徴とする草刈り用コード。
【発明の詳細な説明】
【技術分野】
【０００１】
本発明は、コード型草刈り装置に用いられる草刈り用コードと、この草刈り用コードの製造方法とに関する。
【背景技術】
【０００２】
従来から、草を刈るための刃体としてコードを用いたコード型草刈り装置が知られている（例えば、特許文献１を参照。）。ところが、コード型草刈り装置で刃体として用いられるコード（草刈り用コード）は、通常、ナイロン等の柔軟な素材で形成されていたため、金属製の丸鋸等と比較して、切れ味に劣るという欠点があった。このような実状に鑑みてか、これまでには、草刈り用コードの外周部に凹凸を形成することによって、切れ味を向上させたものも提案されている（例えば、特許文献２を参照。）。
【先行技術文献】
【特許文献】
【０００３】
【特許文献１】実開昭５２−０５５８３３号公報
【特許文献２】実登第３１４９８８６号公報
【発明の概要】
【発明が解決しようとする課題】
【０００４】
ところが、外周部に凹凸が形成された草刈り用コードは、その凹部や凸部が草刈り用コードの回転方向を向いていないと、所望の切れ味を発揮できないものとなっていたところ、上記の引用文献２の草刈り用コードにおいては、その外周部に設けられた凹部や凸部の向きが、同文献の図１に示される態様については２通り、同文献の図５に示される態様については４通りと限られていた。
【０００５】
このため、引用文献２の草刈り用コードが所望の切れ味を発揮できるようにするためには、草刈り用コードをコード型草刈り装置に取り付ける際に、草刈り用コードの外周部の凹凸が草刈り用コードの回転方向を向くように、草刈り用コードの向き（草刈り用コードの長手方向に沿う中心線回りの向き）を調節する必要があり、取付けに手間を要する虞があった。
【０００６】
加えて、引用文献２の草刈り用コードでは、その外周部の凹凸が草刈り用コードの回転方向を向くように取り付けたとしても、草刈りを行ううちに、凹凸の向きが最初の状態からずれてしまい、所望の切れ味が発揮できなくなる虞もあった。また、特許文献２の草刈り用コードは、その外周部の凹凸が草刈り用コードの回転方向を向くように取り付けると、それを回転させた際に、耳障りな風切り音が生じやすいものとなっていた。
【０００７】
上述した、切れ味に関する課題や、取付けの手間に関する課題や、風切り音に関する課題は、上記の凹部や凸部を様々な向き（草刈り用コードの長手方向に沿う中心線に対して垂直な様々な向き）に形成すると、解決できると考えられるところ、そのような草刈り用コードは、これまでに見当たらなかった。
【０００８】
本発明は、上記課題を解決するために為されたものであり、それを取り付ける向き等にかかわらず所望の切れ味を発揮することができ、耳障りな風切り音の発生を抑制して静寂性に優れた草刈り用コードを提供するものである。また、この草刈り用コードを容易に製造することのできる草刈り用コードの製造方法を提供することも本発明の目的である。
【課題を解決するための手段】
【０００９】
上記課題は、
コード型草刈り装置に用いられる草刈り用コードであって、
コード本体が捩じられた構造を有するとともに、
コード本体の外周部に、コード本体の長手方向に沿って、多数の凹部が繰り返し形成されており、
それぞれの凹部の、コード本体の長手方向に沿う中心線に垂直な方向の向きが、当該中心線回りに螺旋状に変化している
ことを特徴とする草刈り用コード。
を提供することによって解決される。
【００１０】
本発明の草刈り用コードは、上記のように、コード本体の外周部に、多数の凹部（草を引っ掛けることのできる凹部）が異なる向きで形成されたものとなっている。このため、本発明の草刈り用コードは、それをどのような向きで取り付けたとしても、いずれかの凹部が草刈り用コードの回転方向又はそれに近い方向を向くようになっている。また、本発明の草刈り用コードは、コード本体が捩じられた構造を有しているため、その外周部は、その「捩じり」に起因して螺旋状となっている。このため、本発明の草刈り用コードでは、コード本体の外周部における凹部の形成されていない箇所に草が当たったとしても、その草が凹部の形成された箇所へと導き入れやすくなっている。
【００１１】
したがって、本発明の草刈り用コードは、それを取り付ける向き等にかかわらず、所望の切れ味を発揮できるものとなっている。また、本発明の草刈り用コードは、凹部の向きが同一方向で揃わないようになっているため、それを回転させても耳障りな風切り音が生じにくく、静寂性に優れたものとなっている。本発明の草刈り用コードは、その製造方法を特に限定されるものではないが、以下の製造方法によって好適に製造することができる。
【００１２】
すなわち、
コード型草刈り装置に用いられる草刈り用コードの製造方法であって、
コード本体の外周部に、コード本体の長手方向に沿って、同じ向きの多数の凹部で構成される凹部列を形成する凹部形成工程と、
凹部形成工程を経たコード本体に捩じり加工を施す捩じり工程と、
を経ることによって、
同じ凹部列を構成する凹部の向きを異ならせた草刈り用コードを得ることを特徴とする草刈り用コードの製造方法
である。
【００１３】
本発明の製造方法を採用すると、本発明の草刈り用コードを容易に製造することが可能になる。本発明の製造方法において、凹部形成工程では、凹部列を１列のみ形成してもよいが、２列以上形成すると好ましい。これにより、凹部の数を増加させて、草刈り用コードに当たった草がいずれかの凹部に引っ掛かりやすくなり、草刈り用コードの切れ味をさらに高めることが可能になる。凹部列を２列以上で形成する場合には、そのうちの２列の凹部列については、以下の構成を採用すると好ましい。
【００１４】
すなわち、
凹部形成工程において、
コード本体の外周部における、コード本体の長手方向に対して垂直な方向の一側に、当該一側を向く多数の凹部で構成される一の凹部列を、コード本体の長手方向に沿って形成し、
コード本体の外周部における、コード本体の長手方向に対して垂直な方向の他側に、当該他側を向く多数の凹部で構成される他の凹部列を形成する
構成を採用すると好ましい。
【００１５】
この構成を採用することによって、向きの異なる凹部を草刈り用コードの外周部に効率的に配置することが可能になる。この構成を採用する場合には、この構成に合わせて、以下の構成を採用すると好ましい。
【００１６】
すなわち、
凹部形成工程において、
前記一の凹部列を構成する凹部と、前記他の凹部列を構成する凹部とを、コード本体の長手方向で互い違いに形成する
構成を採用すると好ましい。
【００１７】
この構成を採用することによって、凹部の設けられた箇所で草刈り用コードが局所的に細くなり過ぎないようにすることが可能になり、草刈り用コードの強度を維持して、草刈り用コードの破断等を防ぐことが可能になる。
【００１８】
本発明の製造方法において、草刈り用コードの基材として用いるコード本体は、コード状のものであれば、その具体的な形態（断面形状等）を特に限定されない。コード本体の断面形状としては、円形や楕円形等の曲線を有する形状のほか、三角形や四角形や六角形等の多角形や、これらを組み合わせた形状を採用することができる。しかし、草刈り用コードの切れ味をさらに高めるためには、以下の構成を採用すると好ましい。
【００１９】
すなわち、
コード本体として、
その外周面が、
第一の面と、
第一の面に対して鋭角を為す第二の面と、
第二の面に対して鈍角を為す第三の面と、
第三の面に対して鋭角を為し、第一の面に対して鈍角を為す第四の面と、
で構成された断面菱形状のものを用い、
凹部形成工程において、
前記一の凹部列を、前記第一の面と前記第二の面との間の稜線に沿って形成し、
前記他の凹部列を、前記第三の面と前記第四の面との間の稜線に沿って形成する
構成を採用すると好ましい。
【００２０】
この構成を採用することによって、草を引っ掛けるための凹部を、コード本体における鋭角部（第一の面と第二の面とで形成される角部、又は、第三の面と第四の面とで形成される角部）に形成し、凹部に導き入れられた草が切れやすくすることが可能になる。
【発明の効果】
【００２１】
以上のように、本発明によって、それを取り付ける向き等にかかわらず所望の切れ味を発揮することができ、耳障りな風切り音の発生を抑制して静寂性に優れた草刈り用コードを提供することが可能になる。また、この草刈り用コードを容易に製造することのできる草刈り用コードの製造方法を提供することも可能になる。
【図面の簡単な説明】
【００２２】
【図１】凹部形成工程を終えた後のコード本体を示した斜視図である。
【図２】凹部形成工程を終えた後のコード本体を示した平面図である。
【図３】凹部形成工程を終えた後のコード本体を、その長手方向に沿う中心線に垂直な平面で切断した状態を示した断面図である。
【図４】捩じり工程を終えた後のコード本体（草刈り用コード）を示した斜視図である。
【図５】捩じり工程を終えた後のコード本体（草刈り用コード）を示した平面図である。
【発明を実施するための形態】
【００２３】
本発明の草刈り用コード及びその製造方法の好適な実施態様について、図面を用いながらより具体的に説明する。
【００２４】
図１は、凹部形成工程を終えた後のコード本体１０を示した斜視図である。図２は、凹部形成工程を終えた後のコード本体１０を示した平面図である。図３は、凹部形成工程を終えた後のコード本体１０を、その長手方向に沿う中心線Ｌ０に垂直な平面で切断した状態を示した断面図である。図４は、捩じり工程を終えた後のコード本体１０（草刈り用コード）を示した斜視図である。図５は、捩じり工程を終えた後のコード本体１０（草刈り用コード）を示した平面図である。
【００２５】
１．草刈り用コード
本実施態様の草刈り用コードは、図示省略のコード型草刈り装置に取り付けて使用するものとなっており、コード型草刈り装置の回転刃体として機能するものとなっている。
【００２６】
すなわち、コード型草刈り装置は、通常、ロッド部と、ロッド部の先端部（下端部）に設けられた回転駆動部と、回転駆動部を回転駆動するための回転駆動装置（エンジン等）と、ロッド部をハンドリングするためのハンドル部とを備えているが、本実施態様の草刈り用コードは、このコード型草刈り装置における回転駆動部に取り付けて使用するものとなっている。草刈り用コードは、コード型草刈り装置の回転駆動部に直接的に取り付けてもよいし、草刈り用コードを巻装するためのホルダ等を介して間接的に取り付けてもよい。
【００２７】
コード型草刈り装置に取り付けた草刈り用コードは、それにおける少なくとも一方の端部（草刈り用コードの長手方向における一対の端部のうち少なくとも一方の端部）が、自由端（他の部材に固定されていない状態）とされる。草刈り用コードの前記自由端から所定区間は、コード型草刈り装置における回転駆動部が停止しているときには、非緊張状態（回転駆動部から垂れ下がった状態）となるものの、回転駆動部を回転駆動すると、その際に生ずる遠心力によって、緊張状態（回転駆動部の回転中心線に対して略垂直な向き（略水平方向）に張った状態）となり、草を刈る刃体として機能できるようになる。
【００２８】
本実施態様の草刈り用コードは、図４及び図５に示すように、基材であるコード本体１０の外周部に、コード本体１０の長手方向に沿って、多数の凹部１１が繰り返し形成されたものとなっている。このため、コード型草刈り装置の回転駆動部を回転させると、草刈り用コード（コード本体１０）の外周部に当たった草を、凹部１１に引っ掛けて切断することができるようになっている。
【００２９】
加えて、本実施態様の草刈り用コードは、図４及び図５に示すように、コード本体１０が捩じられた構造を有しており、それぞれの凹部１１の向き（凹部１１の最深部から凹部１１の開口側を向く、コード本体１０の中心線Ｌ０に垂直な方向の向き。以下、「凹部１１の向き」に関して同じ。）が、コード本体１０の中心線Ｌ０回りに螺旋状に変化した状態となっている。このため、草刈り用コードは、それを取り付ける向き（中心線Ｌ０回りの捩じれの向き。以下、「草刈り用コードを取り付ける向き」に関して同じ。）にかかわらず、所望の切れ味を発揮できるものとなっている。
【００３０】
すなわち、本実施態様の草刈り用コードでは、凹部１１が草刈り用コードの回転方向を向いていないと、所望の切れ味を発揮できない虞があるところ、多数の凹部１１が、異なる向きで形成されているため、草刈り用コードをどのような向きで取り付けたとしても、いずれかの凹部１１が草刈り用コードの回転方向又はそれに近い方向を向くようになっており、草刈り用コード（コード本体１０）の外周部に当たった草が、いずれかの凹部１１に引っ掛かりやすい状態となっている。
【００３１】
また、本実施態様の草刈り用コードは、コード本体１０が捩じられた構造を有しているため、その外周部は、その「捩じり」に起因して螺旋状となっている。このため、本実施態様の草刈り用コードは、コード本体１０の外周部における凹部１１が形成されていない箇所に草が当たったとしても、その草が凹部１１の形成された箇所へと導き入れやすい構造を有している。
【００３２】
さらに、本実施態様の草刈り用コードは、凹部１１の向きが同一方向で揃わないようになっているため、それを回転させても耳障りな風切り音が生じにくく、静寂性に優れたものとなっている。
【００３３】
２．草刈り用コードの製造方法
本実施態様の草刈り用コードは、その製造方法を特に限定されるものではないが、草刈り用コードの基材であるコード本体１０に、凹部形成工程と捩じり工程とを施すことによって、好適に製造することができる。
【００３４】
２．１  コード本体
草刈り用コードの製造に用いるコード本体１０は、刃体として必要な強度を有するのであれば、その素材を特に限定されず、金属線材等を用いてもよいが、通常、後述する凹部形成工程や捩じり工程での加工性等を考慮して、樹脂線材が用いられる。本実施態様の草刈り用コードは、ガラス繊維を充填して強度を高めたナイロンコードをコード本体１０として用いている。
【００３５】
コード本体１０の断面形状も、特に限定されないが、本実施態様の草刈り用コードにおいては、図３に示すように、菱形状としている。具体的には、コード本体１０の外周面を、第一の面１０ａと第二の面１０ｂと第三の面１０ｃと第四の面１０ｄとで構成している。第一の面１０ａと第二の面１０ｂとが為す角度θ１、及び、第三の面１０ｃと第四の面１０ｄとが為す角度θ３は、いずれも９０°未満となっており、第二の面１０ｂと第三の面１０ｃとが為す角度θ２、及び、第四の面１０ｄと第一の面１０ａとが為す角度θ４は、いずれも９０°よりも大きくなっている。角度θ１と角度θ３は、等しくなっており、角度θ２と角度θ４も、等しくなっている。
【００３６】
このため、コード本体１０における、第一の面１０ａと第二の面１０ｂとで形成される角部１０ｅ、及び、第三の面１０ｃと第四の面１０ｄとで形成される角部１０ｇは、いずれも鋭角となっており、角部１０ｅ，１０ｇに当たった草が切断されやすいようになっている。これに対し、コード本体１０における、第二の面１０ｂと第三の面１０ｃとで形成される角部１０ｆ、及び、第四の面１０ｄと第一の面１０ａとで形成される角部１０ｈは、いずれも鈍角となっている。
【００３７】
角度θ１，θ２，θ３，θ４の具体的な大きさは、特に限定されない。しかし、鋭角部（角部１０ｅ及び角部１０ｇ）の角度θ１，θ３を小さくしすぎると、その部分が脆弱となって刃こぼれしやすくなる虞がある。このため、角度θ１，θ３は、通常、いずれも１０°以上とされる。角度θ１，θ３は、いずれも２０°以上とすると好ましく、いずれも３０°以上とするとより好ましい。
【００３８】
一方、角度θ１，θ３を大きくしすぎると、上記の効果（角部１０ｅ，１０ｇに当たった草が切断されやすくなる効果）が奏されにくくなり、コード本体１０の断面形状を菱形とした意義が低下する。このため、角度θ１，θ３は、通常、いずれも８０°以下とされる。角度θ１，θ３は、いずれも７０°以下とすると好ましく、いずれも６０°以下とするとより好ましい。本実施態様の草刈り用コードにおいて、角度θ１，θ３は、いずれも約５０°となっている。このため、角度θ２，θ４は、いずれも約１３０°となっている。
【００３９】
また、コード本体１０の横幅ＷＡや縦幅ＷＢも、特に限定されない。しかし、コード本体１０の横幅ＷＡや縦幅ＷＢが狭すぎると、コード本体１０の強度を維持できなくなるだけでなく、後述する凹部形成工程においてコード本体１０に形成する凹部１１の寸法が必然的に小さくなり、凹部１１に草が引っ掛かりにくくなる虞がある。このため、コード本体１０の横幅ＷＡや縦幅ＷＢは、通常、１ｍｍ以上とされる。コード本体１０の横幅ＷＡや縦幅ＷＢは、２ｍｍ以上であると好ましく、３ｍｍ以上であるとより好ましい。
【００４０】
一方、コード本体１０の横幅ＷＡや縦幅ＷＢを広くしすぎると、草刈り用コードが取扱いしにくいものとなる虞がある。このため、コード本体１０の横幅ＷＡや縦幅ＷＢは、通常、１５ｍｍ以下とされる。コード本体１０の横幅ＷＡや縦幅ＷＢは、１２ｍｍ以下とすると好ましく、１０ｍｍ以下とするとより好ましい。
【００４１】
２．２  凹部形成工程
凹部形成工程は、図１及び図２に示すように、コード本体１０の外周部に、コード本体１０の長手方向に沿って、同じ向きの多数の凹部１１で構成される凹部列を形成する工程となっている。
【００４２】
既に述べた通り、凹部列は、１列のみ設けてもよいが、２列以上で設けると好ましい。本実施態様の草刈り用コードにおいて、凹部列は、コード本体１０の角部１０ｅにおける稜線に沿って設けた複数の凹部１１ａからなる凹部列（以下においては、凹部１１ａからなる凹部列を「第一の凹部列」と呼ぶことがある。）と、コード本体１０の角部１０ｇにおける稜線に沿って設けた複数の凹部１１ｂからなる凹部列（以下においては、凹部１１ｂからなる凹部列を「第二の凹部列」と呼ぶことがある。）との計２列で設けている。第一の凹部列を構成する凹部１１ａは、いずれもｘ軸方向負側を向いており、第二の凹部列を構成する凹部１１ｂは、いずれもｘ軸方向正側を向いている。
【００４３】
このように、コード本体１０の外周部における、コード本体１０の長手方向（ｙ軸方向）に対して垂直な方向の一側（ｘ軸方向負側）に、当該一側を向く多数の凹部１１ａで構成される第一の凹部列を形成するとともに、コード本体１０の外周部における、コード本体１０の長手方向（ｙ軸方向）に対して垂直な方向の他側（ｘ軸方向正側）に、当該他側を向く多数の凹部１１ｂで構成される他の凹部列を形成することによって、向きの異なる凹部１１を草刈り用コードの外周部に効率的に配置することが可能になる。
【００４４】
本実施態様の草刈り用コードにおいて、コード本体１０の角部１０ｆにおける稜線に沿った箇所と、コード本体１０の角部１０ｈにおける稜線に沿った箇所には、凹部１１を設けていないが、これらの稜線に沿った箇所にも、複数の凹部１１からなる凹部列を設けてもよい。これにより、向きの異なる凹部１１を草刈り用コードの外周部にさらに効率的に配置することが可能になる。
【００４５】
第一の凹部列を構成する凹部１１ａと、第二の凹部列を構成する凹部１１ｂは、コード本体１０の長手方向（ｙ軸方向）に対して同じ箇所（ｙ軸の座標が重なる箇所）に設けてもよい。しかし、この場合には、コード本体１０における凹部１１が設けられた箇所が細くなりすぎる虞がある。このため、本実施態様の草刈り用コードにおいては、第一の凹部列を構成する凹部１１ａと、第二の凹部列を構成する凹部１１ｂとを、コード本体１０の長手方向（ｙ軸方向）で互い違いになる（ｙ軸の座標が重ならない）ように形成している。
【００４６】
それぞれの凹部列で隣り合う凹部１１ａの配置ピッチ（ｙ軸方向での配置ピッチ）は、特に限定されない。しかし、隣り合う凹部１１ａの配置ピッチを狭くしすぎると、第一の凹部列を構成する凹部１１ａと、第二の凹部列を構成する凹部１１ｂとを互い違いに配しにくくなる。このため、それぞれの凹部列で隣り合う凹部１１の配置ピッチは、１ｍｍ以上とすると好ましい。この配置ピッチは、３ｍｍ以上とするとより好ましく、５ｍｍ以上とするとさらに好ましい。
【００４７】
一方、それぞれの凹部列で隣り合う凹部１１ａの配置ピッチ（ｙ軸方向での配置ピッチ）を広くしすぎると、草刈り用コードに草が当たっても、その草がいずれの凹部１１にも引っ掛かることなく、切断されない状況が生じやすくなる虞がある。このため、それぞれの凹部列で隣り合う凹部１１の配置ピッチは、３０ｍｍ以下とすると好ましい。この配置ピッチは、２０ｍｍ以下とするとより好ましく、１５ｍｍ以下とするとさらに好ましい。
【００４８】
また、それぞれの凹部１１の平面視形状（ｚ軸方向正側から見た形状）も、特に限定されない。凹部１１の平面視形状は、半円形状や半楕円形状等のほか、矩形状等の多角形状とすることもできる。しかし、凹部１１は、それに草が引っ掛かりやすい形状とすると好ましい。本実施態様の草刈り用コードにおいては、凹部１１に草が引っ掛かりやすくなるように、それぞれの凹部１１は、平面視形状が三角形状となるように形成している。
【００４９】
さらに、それぞれの凹部１１の寸法は、コード本体１０の太さ等によっても異なり、特に限定されない。しかし、凹部１１の深さＤ１（図２）や幅Ｗ１（図２）が小さすぎると、凹部１１に草が引っ掛かりにくくなる虞がある。このため、凹部１１の深さＤ１や幅Ｗ１は、通常、１ｍｍ以上とされる。凹部１１の深さＤ１や幅Ｗ１は、１．５ｍｍ以上であると好ましく、２ｍｍ以上であるとより好ましい。
【００５０】
凹部１１の深さＤ１の下限を、コード本体１０の横幅ＷＡ（図２）に対する凹部１１の深さＤ１の比Ｄ１／ＷＡで特定するならば、比Ｄ１／ＷＡは、０．１以上であると好ましく、０．１５以上であるとより好ましく、０．２以上であるとさらに好ましい。また、凹部１１の幅Ｗ１の下限を、凹部１１の深さＤ１に対する凹部１１の幅Ｗ１の比Ｗ１／Ｄ１で特定するならば、比Ｗ１／Ｄ１は、０．３以上であると好ましく、０．５以上であるとより好ましい。
【００５１】
一方、凹部１１の深さＤ１を深くしすぎると、コード本体１０の横幅（ｘ軸方向の幅）を広くする必要が生じ、コード本体１０が取扱いにくいものとなる虞がある。また、凹部１１の幅Ｗ１を広くしすぎると、それぞれの凹部列で隣り合う凹部１１の配置ピッチを広くする必要が生じて、凹部１１を効率的に配置できなくなる虞があるし、凹部１１に入った草が凹部１１に引っ掛かることなく逃げやすくなる虞もある。このため、凹部１１の深さＤ１や幅Ｗ１は、７ｍｍ以下とすると好ましく、５ｍｍ以下とするとより好ましい。
【００５２】
凹部１１の深さＤ１の上限を、コード本体１０の横幅ＷＡ（図２）に対する凹部１１の深さＤ１の比Ｄ１／ＷＡで特定するならば、比Ｄ１／ＷＡは、０．５以下であると好ましく、０．４以下であるとより好ましく、０．３以下であるとさらに好ましい。また、凹部１１の幅Ｗ１の上限を、凹部１１の深さＤ１に対する凹部１１の幅Ｗ１の比Ｗ１／Ｄ１で特定するならば、比Ｗ１／Ｄ１は、２以下であると好ましく、１．５以下であるとより好ましい。
【００５３】
さらにまた、凹部形成工程において、コード本体１０に対して凹部１１を設ける方法は、特に限定されない。凹部１１は、コード本体１０を成形する際に、同時に形成してもよいが、凹部１１のないコード状に成形されたコード本体１０に対して事後的に形成すると好ましい。これにより、コード本体１０に対して凹部１１を容易に設けることが可能になる。本実施態様の草刈り用コードは、凹部１１のないコード状に成形されたコード本体１０に対して事後的にプレス加工を行うことによって、コード本体１０に凹部１１を設けている。
【００５４】
コード本体１０にプレス加工を行う際には、コード本体１０を垂直に打ち抜く（コード本体１０の縦幅方向（ｚ軸方向）に平行に打ち抜く）ようにしてもよいが、コード本体１０を斜めに打ち抜く（コード本体１０の縦幅方向（ｚ軸方向）に対して傾斜した方向に打ち抜く）ことも好ましい。これにより、コード本体１０に形成される凹部１１のエッジ部分を鋭角に形成することが可能になり、凹部１１に引っ掛かった草が当該エッジ部分で切断されやすくすることができる。
【００５５】
以上の凹部形成工程を終えると、続いて、捩じり工程を行う。
【００５６】
２．３  捩じり工程
捩じり工程は、図１の矢印Ａで示すように、凹部１１が形成されたコード本体１０に捩じり加工を施す工程となっている。捩じり工程を経たコード本体１０は、図４及び図５に示すように、その中心線Ｌ０回りに螺旋状に捩じられた状態となる。
【００５７】
このように、コード本体１０を捩じることによって、上記の凹部形成工程を終えた段階では向きの揃っていた凹部１１の向きを容易に異ならせることが可能となっている。したがって、草刈り用コードを取り付ける向き等にかかわらず、草刈り用コードに所望の切れ味を発揮させることが可能となっている。また、それを回転させても耳障りな風切り音が生じにくく、静寂性に優れた草刈り用コードを得ることも可能となっている。
【００５８】
捩じり加工は、コード本体１０をその中心線Ｌ０回りに捩じることができるのであれば、その具体的な方法を、特に限定されない。捩じり加工の方法は、コード本体１０の素材等によっても異なる。例えば、コード本体１０が金属線材等の塑性変形しやすい素材である場合には、コード本体１０の両端部を中心線Ｌ０回りに相対的に回転させることによって、捩じり加工を容易に施すことができる。
【００５９】
一方、本実施態様の草刈り用コードのように、コード本体１０が樹脂線材である場合等には、例えば、コード本体１０を加熱しながら、コード本体１０の両端部を中心線Ｌ０回りに相対的に回転させて捩じった後、冷却して効果させる方法や、コード本体１０の両端部を中心線Ｌ０回りに相対的に回転させて捩じった後、そのコード本体１０に加熱と冷却を施して硬化させる方法や、内周面が螺旋状に形成された貫通孔を有する押出金型を用意し、当該押出金型における前記貫通穴に、コード本体１０を加熱しながら挿入して押し出した後、冷却して硬化させる方法等を例示することができる。
【００６０】
捩じり工程でコード本体１０に施す捩じり加工の捩じりピッチα（コード本体１０が中心線Ｌ０回りに１回転する区間の中心線Ｌ０に沿った長さ。図４及び図５を参照。）は、凹部１１の配置ピッチ等によっても異なり、特に限定されない。しかし、捩じりピッチαが短すぎると、捩じりピッチαに配置される凹部１１の数が少なくなって、凹部１１の向きに変化が生じにくくなるだけでなく、コード本体１０が捩じりによって切れやすくなる虞もある。
【００６１】
このため、コード本体１０の捩じりピッチαは、３ｃｍ以上とすると好ましく、５ｃｍ以上とするとより好ましい。コード本体１０の捩じりピッチαの下限を、その捩じりピッチα内に配される凹部１１の個数で特定するならば、コード本体１０の捩じりピッチαは、その捩じりピッチα内に、凹部１１が５個以上存在するように設定すると好ましい。捩じりピッチα内に存在する凹部１１の個数は、１０個以上であるとより好ましく、１５個以上であるとさらに好ましい。
【００６２】
一方、コード本体１０の捩じりピッチαが長すぎると、コード本体１０における草に当たる部分の全体長内でコード本体１０が中心線Ｌ０回りに１回転しなくなり、凹部１１が向かない方向が生じる虞がある。
【００６３】
このため、コード本体１０の捩じりピッチαは、１５ｃｍ以下とすると好ましく、１０ｃｍ以下とするとより好ましい。コード本体１０の捩じりピッチαの上限を、その捩じりピッチα内に配される凹部１１の個数で特定するならば、コード本体１０の捩じりピッチαは、その捩じりピッチα内に、凹部１１が１００個以下存在するように設定すると好ましい。捩じりピッチα内に存在する凹部１１の個数は、５０個以下であるとより好ましく、３０個以下であるとさらに好ましい。
【００６４】
以上の捩じり工程を終えると、草刈り用コードの製造が完了する。ただし、捩じり工程の後には、コード本体１０の外周面にコーティングを施す等、別の工程を設けることもできる。
【００６５】
２．４  結び
以上の製造方法によって製造された草刈り用コードは、切れ味に優れるだけでなく、静寂性にも優れたものとなっている。
【符号の説明】
【００６６】
１０      コード本体
１０ａ    第一の面
１０ｂ    第二の面
１０ｃ    第三の面
１０ｄ    第四の面
１０ｅ    第一の面と第二の面とで形成される角部
１０ｆ    第二の面と第三の面とで形成される角部
１０ｇ    第三の面と第四の面とで形成される角部
１０ｈ    第四の面と第一の面とで形成される角部
１１      凹部
１１ａ    凹部（第一の凹部列を構成する凹部）
１１ｂ    凹部（第二の凹部列を構成する凹部）
Ｄ１    凹部の深さ
Ｌ０    コード本体の長手方向に沿う中心線
Ｗ１    凹部の幅
ＷＡ    コード本体の横幅
ＷＢ    コード本体の縦幅
α      コード本体の捩じりピッチ
θ１    コード本体の外周面を構成する第一の面と第二の面とが為す角度
θ２    コード本体の外周面を構成する第二の面と第三の面とが為す角度
θ３    コード本体の外周面を構成する第三の面と第四の面とが為す角度
θ４    コード本体の外周面を構成する第四の面と第一の面とが為す角度
【図１】
2018011571.tif 000003
【図２】
2018011571.tif 000004
【図３】
2018011571.tif 000005
【図４】
2018011571.tif 000006
【図５】
2018011571.tif 000007